(57)【要約】【目的】各ノズルに供給される溶融樹脂の流量を変えることなく各ノズルゲートから射出される樹脂充填量を変えることが可能な多点ゲート射出成形機におけるノズルゲート開閉タイミング調整機構及び多点ゲート射出成形方法を提供する。【構成】樹脂を射出するノズルを複数備え、各ノズル内に配設されたゲートピンが樹脂の充填の際の樹脂圧力に応じて各ノズルゲートを開閉する構成の多点ゲート射出成形機の各ノズルゲートの開閉タイミングの調整機構において、  前記各ノズルゲートと対向する側の射出成形金型の部位の一部又は全部に、前記ノズルゲート側に向けて進退動作するノズルゲート開閉構成のタイミングピンを備えており、該タイミングピンが前記ノズルゲートを直接、又はゲートピンを介して間接的に開閉することによって、複数のノズルゲートの開閉タイミングを調整する構成である。【選択図】        図１
2008279603.tif 000002
【特許請求の範囲】
【請求項１】
樹脂を射出するノズルを複数備え、
樹脂の充填に際し樹脂圧力が所定値を超えたときに、各ノズル内に配設されたゲートピンが各ノズルゲートを開放し、
樹脂圧力が所定値を下回ったときに、前記各ゲートピンが各ノズルゲートを閉塞する構成の多点ゲート射出成形機の各ノズルゲートの開閉タイミングの調整機構において、
前記各ノズルゲートと対向する側の射出成形金型の部位の一部又は全部に、前記ノズルゲート側に向けて進退動作するノズルゲート開閉構成のタイミングピンを備えており、該タイミングピンが前記ノズルゲートを直接、又はゲートピンを介して間接的に開閉することによって、複数のノズルゲートの開閉タイミングを調整する構成であることを特徴とする多点ゲート射出成形機におけるノズルゲート開閉タイミング調整機構。
【請求項２】
前記ノズルゲートが、該ノズルゲートからゲートピンが逃げ動作を行って開放し、復帰動作を行って閉塞する構成であることを特徴とする請求項１に記載の多点ゲート射出成形機におけるノズルゲート開閉タイミング調整機構。
【請求項３】
前記ノズルゲートの開放が、該ノズルゲートからゲートピンが突出する動作を行って開放し、復帰動作を行って閉塞する構成であることを特徴とする請求項１に記載の多点ゲート射出成形機におけるノズルゲート開閉タイミング調整機構。
【請求項４】
前記タイミングピンが、前記対向位置から前記ノズルゲートに向かって進出動作して前記ノズルゲートに当接することで該ノズルゲートをゲート出口側から閉塞し、該ノズルゲートから退避動作することで該ノズルゲートを開放する構成であり、
前記複数のタイミングピンの進出動作及び退避動作の制御により前記複数のノズルゲートの開閉タイミングの調整が各々可能な構成であることを特徴とする請求項１〜３のいずれかに記載の多点ゲート射出成形機におけるノズルゲート開閉タイミング調整機構。
【請求項５】
前記タイミングピンが、前記対向位置から前記ノズルゲートに向かって進出動作し、前記ゲートピンに当接して該ゲートピンのノズルゲートからの突出を規制することで前記ノズルゲートを閉塞し、該ノズルゲートから退避動作してゲートピンの突出規制を解除することで前記ノズルゲートを開放する構成であり、
前記複数のタイミングピンの進出動作及び退避動作の制御により前記複数のノズルゲートの開閉タイミングの調整が各々可能な構成であることを特徴とする請求項１又は３に記載の多点ゲート射出成形機におけるノズルゲート開閉タイミング調整機構。
【請求項６】
前記タイミングピンの進出ストローク量が調整可能な構成であることを特徴とする請求項１〜５のいずれかに記載の多点ゲート射出成形機におけるノズルゲート開閉タイミング調整機構。
【請求項７】
前記タイミングピンが可動側金型に配設された構成であることを特徴とする請求項１〜６のいずれかに記載の多点ゲート射出成形機におけるノズルゲート開閉タイミング調整機構。
【請求項８】
請求項１〜７のいずれかに記載の多点ゲート射出成形機におけるノズルゲート開閉タイミング調整機構を用いて行う多点ゲート射出成形機方法であって、
樹脂充填開始前に一つ乃至全てのタイミングピンを進出動作させて一つ乃至全てのノズルゲートを閉塞しておき、樹脂充填開始時にノズルゲートを閉塞している一つ乃至全てのタイミングピンの中で任意のタイミングピンを任意のタイミングで退避動作させて任意のノズルゲートを開放することで樹脂射出可能状態とすることを特徴とする多点ゲート射出成形方法。
【請求項９】
樹脂充填中に、任意のタイミングピンを進出動作させることで任意のノズルゲートを強制閉塞することを特徴とする請求項８に記載の多点ゲート射出成形方法。
【請求項１０】
樹脂充填時に、任意のタイミングピンの進出ストローク量を調整し、中途位置まで進出動作することで任意のノズルゲートからの樹脂の射出流量を調整することを特徴とする請求項８又は９に記載の多点ゲート射出成形方法。
【発明の詳細な説明】
【技術分野】
【０００１】
本発明は多点ゲート射出成形機におけるノズルゲート開閉タイミング調整機構及び多点ゲート射出成形方法に関し、詳しくは、投影面積の大きな１個取りの成形品を成形する多点ゲート射出成形や、充填量及び重量比率の異なる成形品を同時に成形する所謂ファミリーモールド成形において、多数の各ノズルからの充填を調整して、大型成形品や大小成形品のセット取りが安定した状態で生産できる多点ゲート金型に用いられるノズルゲート開閉タイミング調整機構及び多点ゲート射出成形方法に関する。
【背景技術】
【０００２】
樹脂成形体の射出成形において、投影面積の大きな樹脂成形体の１個取りの成形や充填量及び重量比率の異なる成形品を同時に成形する所謂ファミリーモールド成形には多点ゲート式の金型が用いられており、当該多点ゲート式の場合、多数の各ノズルからの充填量を調整して成形品のウエルドラインの形成箇所を所望の位置に移動制御したり、多数の各ノズルからの充填を調整して大小成形品のセット取りが安定して生産できるようにする必要がある。
【０００３】
多数個のノズルにおいて充填量を調節制御するには、例えば、特許文献１〜３に記載されるように各々のノズルゲートから射出される樹脂の量を変えることで各々のノズルによる充填量を調節することで行われている。
【０００４】
【特許文献１】特開２００４−５０４２５号公報
【特許文献２】特開平２００４−１７５６４公報
【特許文献３】特開平５−２３７８７９号公報
【発明の開示】
【発明が解決しようとする課題】
【０００５】
特許文献１に記載の技術では、樹脂流路であるランナー内に堰き止めピンを侵入させ、この堰き止めピンの侵入量によって射出量の調節制御を行っている。
【０００６】
しかし、この技術では、堰き止めピンをランナー側から弁座にねじ込んでいる構成であるため、堰き止めピンの侵入量の調節は、金型を分解して行わなければならず、再調節が必要な場合には、その度に分解→侵入量の調節→組立て→射出成形→充填量の確認という手順を繰り返さなければならず手間及び時間が著しくかかってしまうという欠点を有している。
【０００７】
特許文献２に記載の技術では、ばねによって付勢される受圧面をランナー内に出没させることで射出量の調節制御を行っている。
【０００８】
しかし、この技術では、樹脂の種類や温度等の種々条件によって樹脂射出時の充填圧が変化するため、受圧面の付勢力とバランスをとりながらの各ノズルゲートの射出量の調節制御を行うことは極めて難しいという欠点を有している。
【０００９】
特許文献３に記載の技術では、絞り形状の異なる複数個の入れ子を適宜組み替えてランナー内に装着することで射出量の調節制御を行っている。
【００１０】
しかし、この技術では、入れ子を交換するには分解しなければならないため、再調節が必要な場合には、その度に分解→入れ子の交換→組立て→射出成形→充填量の確認という手順を繰り返さなければならず手間及び時間が著しくかかってしまうという欠点を有している。
【００１１】
更に、射出量の調節は、予め用意されている入れ子の絞り形状によって規制されてしまうため、ステップ型の段階的な調節となってしまう。従って、予め用意されている入れ子では所望の射出量が得られない場合、新たに入れ子を製作しなければ調節が不可能であるという欠点を有している。
【００１２】
以上のように、各ノズルに供給される溶融樹脂の流量を変えることによって各ノズルゲートから射出される樹脂充填量を調節することは調節に手間がかかり困難であった。
【００１３】
そこで本発明の課題は、各ノズルに供給される溶融樹脂の流量を変えることなく各ノズルゲートから射出される樹脂充填量を変えることが可能な多点ゲート射出成形機におけるノズルゲート開閉タイミング調整機構及び多点ゲート射出成形方法を提供することにある。
【課題を解決するための手段】
【００１４】
上記課題を解決する本発明は下記構成を有する。
【００１５】
１．樹脂を射出するノズルを複数備え、
樹脂の充填に際し樹脂圧力が所定値を超えたときに、各ノズル内に配設されたゲートピンが各ノズルゲートを開放し、
樹脂圧力が所定値を下回ったときに、前記各ゲートピンが各ノズルゲートを閉塞する構成の多点ゲート射出成形機の各ノズルゲートの開閉タイミングの調整機構において、
前記各ノズルゲートと対向する側の射出成形金型の部位の一部又は全部に、前記ノズルゲート側に向けて進退動作するノズルゲート開閉構成のタイミングピンを備えており、該タイミングピンが前記ノズルゲートを直接、又はゲートピンを介して間接的に開閉することによって、複数のノズルゲートの開閉タイミングを調整する構成であることを特徴とする多点ゲート射出成形機におけるノズルゲート開閉タイミング調整機構。
【００１６】
２．前記ノズルゲートが、該ノズルゲートからゲートピンが逃げ動作を行って開放し、復帰動作を行って閉塞する構成であることを特徴とする上記１に記載の多点ゲート射出成形機におけるノズルゲート開閉タイミング調整機構。
【００１７】
３．前記ノズルゲートの開放が、該ノズルゲートからゲートピンが突出する動作を行って開放し、復帰動作を行って閉塞する構成であることを特徴とする上記１に記載の多点ゲート射出成形機におけるノズルゲート開閉タイミング調整機構。
【００１８】
４．前記タイミングピンが、前記対向位置から前記ノズルゲートに向かって進出動作して前記ノズルゲートに当接することで該ノズルゲートをゲート出口側から閉塞し、該ノズルゲートから退避動作することで該ノズルゲートを開放する構成であり、
前記複数のタイミングピンの進出動作及び退避動作の制御により前記複数のノズルゲートの開閉タイミングの調整が各々可能な構成であることを特徴とする上記１〜３のいずれかに記載の多点ゲート射出成形機におけるノズルゲート開閉タイミング調整機構。
【００１９】
５．前記タイミングピンが、前記対向位置から前記ノズルゲートに向かって進出動作し、前記ゲートピンに当接して該ゲートピンのノズルゲートからの突出を規制することで前記ノズルゲートを閉塞し、該ノズルゲートから退避動作してゲートピンの突出規制を解除することで前記ノズルゲートを開放する構成であり、
前記複数のタイミングピンの進出動作及び退避動作の制御により前記複数のノズルゲートの開閉タイミングの調整が各々可能な構成であることを特徴とする上記１又は３に記載の多点ゲート射出成形機におけるノズルゲート開閉タイミング調整機構。
【００２０】
６．前記タイミングピンの進出ストローク量が調整可能な構成であることを特徴とする上記１〜５のいずれかに記載の多点ゲート射出成形機におけるノズルゲート開閉タイミング調整機構。
【００２１】
７．前記タイミングピンが可動側金型に配設された構成であることを特徴とする上記１〜６のいずれかに記載の多点ゲート射出成形機におけるノズルゲート開閉タイミング調整機構。
【００２２】
８．上記１〜７のいずれかに記載の多点ゲート射出成形機におけるノズルゲート開閉タイミング調整機構を用いて行う多点ゲート射出成形方法であって、
樹脂充填開始前に一つ乃至全てのタイミングピンを進出動作させて一つ乃至全てのノズルゲートを閉塞しておき、樹脂充填開始時にノズルゲートを閉塞している一つ乃至全てのタイミングピンの中で任意のタイミングピンを任意のタイミングで退避動作させて任意のノズルゲートを開放することで樹脂射出可能状態とすることを特徴とする多点ゲート射出成形方法。
【００２３】
９．樹脂充填中に、任意のタイミングピンを進出動作させることで任意のノズルゲートを強制閉塞することを特徴とする上記８に記載の多点ゲート射出成形方法。
【００２４】
１０．樹脂充填時に、任意のタイミングピンの進出ストローク量を調整し、中途位置まで進出動作することで任意のノズルゲートからの樹脂の射出流量を調整することを特徴とする上記８又は９に記載の多点ゲート射出成形方法。
【発明の効果】
【００２５】
請求項１又は８に示す発明によれば、各ノズルに供給される溶融樹脂の流量を変えるのではなく、任意のタイミングピンの進出動作及び退避動作により任意のノズルゲートの開閉タイミングを調整することで各ノズルゲートから射出される樹脂充填量を変えることで、成形品のウエルドラインの形成箇所を所望の位置に移動制御することが可能となる。尚、本発明によれば、成形品のウエルドラインの形成箇所を所望の位置に移動制御できればよい、即ち、各ノズルからの樹脂充填量を変えることができればよいため、任意のタイミングピンの進出動作によるノズルゲートの閉塞は完全である必要はなく、閉塞した状態での溶融樹脂の漏出を完全に防ぐ必要はない。
【００２６】
請求項２に示す発明によれば、ノズルゲートからゲートピンが逃げ動作を行って該ノズルゲートを開放する構成のノズルを備えた射出成形機に適用することが可能である。
【００２７】
請求項３に示す発明によれば、ノズルゲートからゲートピンが突出する動作を行って該ノズルゲートを開放する構成のノズルを備えた射出成形機に適用することが可能である。
【００２８】
請求項４に示す発明によれば、ノズルゲートに向かって進出動作して該ノズルゲートを閉塞し、該ノズルゲートから退避動作して該ノズルゲートを開放することでノズルゲートの開閉を行う構成により、ノズル自体の構成や設定条件等に何ら手を加えることなくノズルゲートの開閉タイミングの調整が可能である。
【００２９】
請求項５に示す発明によれば、ノズルゲートの開閉タイミングをゲートピンの動作を規制することでノズルゲートの開閉を行う構成により、ノズル自体の構成や設定条件等に何ら手を加えることなくノズルゲートの開閉タイミングの調整が可能である。
【００３０】
請求項６又は１０に示す発明によれば、ノズルに供給される溶融樹脂の流量を変えることなく、タイミングピンの進出ストローク量を調整することでノズルゲートから射出される樹脂の流量を容易に調整することが可能である。
【００３１】
請求項７に示す発明によれば、タイミングピンの調整・交換・整備等の作業性が良好である。
【００３２】
請求項９に示す発明によれば、任意のノズルゲートからの樹脂の射出停止タイミングを制御することが可能である。
【発明を実施するための最良の形態】
【００３３】
次に、添付の図面に従って本発明を更に詳細に説明する。
【００３４】
図１は本発明に係る多点ゲート射出成形機におけるノズルゲート開閉タイミング調整機構の一実施例を示す概略断面図、図２は図１に示すノズルゲートの開閉時｛（Ａ）は閉塞時、（Ｂ）は開放時、（Ｃ）半開時｝のタイミングピンの動作位置状態を示す概略説明図、図３は図２に樹脂の状態を図示した概略説明図、図４は本発明に係る多点ゲート射出成形機におけるノズルゲート開閉タイミング調整機構の他の実施例を示す概略断面図、図５は図４に示すノズルゲートの開閉時｛（Ａ）は閉塞時、（Ｂ）は開放時、（Ｃ）半開時｝のタイミングピンの動作位置状態を示す概略説明図、図６は図５に樹脂の状態を図示した概略説明図、図７は本発明に好ましく用いられるタイミングピンの実施例を示す要部正面図である。
【００３５】
図１において、本発明に係る多点ゲート射出成形金型の各ノズルゲートの開閉タイミング調整機構（以下、単に開閉タイミング調整機構ということもある。）１は、スプリング２１の押圧力と溶融樹脂の充填圧力との差を利用してゲートピン２３を移動させることでノズルゲート２２を開閉させる構造のノズル２を複数（本実施例では２つ）備えた多点ゲート射出成形金型３の各ノズルゲート２２・２２の開閉タイミングを調整するものである。尚、ゲートピン２３はピストンとも称されているが、本発明においてはゲートピンの名称で統一した。
【００３６】
開閉タイミング調整機構１は、前記各ノズルゲート２２・２２と対向する側の多点ゲート射出成形金型３の部位に、該各ノズルゲート２２・２２の各々を閉塞可能な先端形状を有するタイミングピン１１・１１が各々配設された構成を有する。該各タイミングピン１１・１１は、前記対向位置から前記各ノズルゲート２２・２２に向かって進出動作して前記各ノズルゲート２２・２２に当接することで該各ノズルゲート２２・２２を閉塞し｛図２（Ａ）参照｝、該各ノズルゲート２２・２２から退避動作することで該各ノズルゲート２２・２２を開放する｛図２（Ｂ）参照｝。
【００３７】
本発明によれば、各タイミングピン１１・１１の進出動作及び退避動作の制御により前記各ノズルゲート２２・２２の開閉タイミングの調整が各々可能となるので、各ノズル２・２からの射出開始時期と射出終了時期を設定して各ノズル２・２の充填量を各々調節することで成形品のウエルドラインの形成箇所を所望の位置に移動制御することが可能となる。
【００３８】
タイミングピン１１の進出動作及び退避動作は油圧・空気圧・電磁力等によって動作させることが好ましく、より好ましくは空気圧を用いたエアシリンダー（図１の符号１２）で動作させることである。
【００３９】
タイミングピン１１の先端形状としては、ノズルゲート２２に当接した際に該ノズルゲート２２を閉塞できる形状を有していればよく、先端が平面形状でもよいし、ノズルゲート２２内に入り込む形状でもよいが、好ましく図７（Ａ）に示すように凹部１１Ａが形成された形状である。凹部１１Ａが形成されることにより、タイミングピン１１が進出動作してノズルゲート２２に当接した際の該タイミングピン１１先端とゲートピン２３先端との衝突を防ぐことができる。尚、本発明は、成形品のウエルドラインの形成箇所を所望の位置に移動制御できればよい、即ち、各ノズル２からの樹脂充填量を変えることができればよいため、任意のタイミングピン１１の進出動作によるノズルゲート２２の閉塞は完全である必要はなく、閉塞した状態での溶融樹脂の漏出を完全に防ぐ必要はない。従って、タイミングピン１１の先端形状についてもノズルゲート２２を完全に閉塞できる形状が必須ではなく、概ね閉塞できる形状であればよい。
【００４０】
本発明の開閉タイミング調整機構１が適用可能なノズル２の構成としては、オープンゲート方式を除く方式、即ち、ゲートピン２３がノズルゲート２２を開閉させる構造のものであれば公知公用のノズルを挙げることができ、例えば、空気圧・油圧式又はスプリング方式等によってノズルゲート２２を開閉させる構造の公知公用のノズルであってもよい。
【００４１】
ノズル２の構成として最も好ましいのは、図１〜図３に示すように、ノズル２のノズルゲート２２を開閉させる構造が、ノズル２内に配設されるゲートピン２３を、ノズル２内の樹脂圧力に従ってスプリング２１の押圧力に抗して移動する構成とし、ゲートピン２３が、樹脂の充填の際に樹脂圧力が所定値を超えるときノズルゲート２２より逃げ動作を行ってノズルゲート２２を開放し、樹脂の充填が完了し樹脂圧力が所定値より低下するときノズルゲート２２方向に移動（復帰移動）する動作を行い、ノズルゲート２２の遮断を行う構成のものであり、例えば、本出願人による先提案技術である特許第２８５０２０３号、同３２３６５３８号、同３２５３５５１号、特開平１０−５２８３７号、特願２００４−２１８２４６号及び同２００４−２４６２６３号等に示される構成であることが好ましい。
【００４２】
尚、ノズル２としては上記に限定されず、ノズルゲートを大きくできない不都合のあるオープンゲート方式を除く方式、即ち、空気圧・油圧式又はスプリング方式等によってニードル弁を開閉させる構造のノズルを用いる射出成形装置によって行われる公知公用の構成のいずれであってもよい。
【００４３】
多点ゲート射出成形金型３は、図１に示すように、可動側金型３Ａと固定側金型３Ｂとを有して成り、本発明の開閉タイミング調整機構１は可動側金型３Ａに配設されていることが好ましい。尚、図１において、符号３１はキャビティ、３２はフランジ、３３は湯道、３４はマニホールド、３５はスプルーブッシュ、３６は溶融樹脂を温調するヒータを示す。
【００４４】
次に、図２及び図３に基き、ノズルゲート２２の開閉時｛（Ａ）は閉塞時、（Ｂ）は開放時、（Ｃ）半開時｝のタイミングピン１１の動作位置状態について説明する。尚、図２（Ａ）〜（Ｃ）及び図３（Ａ）〜（Ｃ）は各々同一構成を有する図であり、図２は溶融樹脂の図示を省略した状態を示し、図３は溶融樹脂４を図示した状態を示している。
【００４５】
溶融樹脂４の充填開始前にタイミングピン１１を進出動作させてノズルゲート２２に当接させることで該ノズルゲート２２を閉塞しておく｛図２（Ａ）及び図３（Ａ）の状態｝。複数のノズルゲート２２の全てを溶融樹脂４充填開始前にタイミングピン１１の進出動作により閉塞しておいてもよいが、先行して開放するノズルゲート２２についてはタイミングピン１１を進出動作させることなく元の位置のまま待機させておいてもよい。この場合、当該ノズルゲート２２の開放のタイミングは該ノズルゲート２２を遮断しているゲートピン２３の移動により行われることになる、即ち、当該ノズル２自体の射出開始が充填開始タイミングとなる。尚、先行して開放するノズルゲート２２については、当該ノズルゲート２２に対向する部位の開閉タイミング調整機構１の配設を省略してしまう構成も本発明に包含する。
【００４６】
次に、溶融樹脂４の充填開始に伴い、先ず、先行して充填開始するノズル２のノズルゲート２２を閉塞していたタイミングピン１１が退避動作して該ノズルゲート２２を開放する｛図２（Ｂ）及び図３（Ｂ）の状態｝。この開放と同時乃至はこの開放より早いタイミングで当該ノズル２の射出が開始されることにより、当該ノズル２から溶融樹脂４が先行して充填が開始される。この後、任意の時間経過後、任意のタイミングで次に充填開始すべきノズル２のノズルゲート２２を閉塞していたタイミングピン１１が退避動作して該ノズルゲート２２を開放することで次のノズル２からの溶融樹脂４の充填が開始される｛図２（Ｂ）及び図３（Ｂ）の状態｝。
【００４７】
ノズル２のゲートピン２３の逃げ動作によるノズルゲート２２の開放のタイミング（即ち、ノズル２自体の射出開始タイミング）と、該ノズルゲート２２を閉塞するタイミングピン１１の退避動作による該ノズルゲート２２の開放のタイミングは、同時であることが好ましいが、ノズル２のゲートピン２３の逃げ動作によるノズルゲート２２の開放のタイミングがタイミングピン１１の開放より早くてもよい。ノズル２自体のタイミングが早くても、ノズルゲート２２はタイミングピン２２によって閉塞されているのでノズル２が射出開始可能状態であっても溶融樹脂４は該タイミングピン１１によってノズルゲート２２部分で堰き止められることになる。
【００４８】
本実施例では２つのノズル２・２の開閉タイミングを変えて充填を行う場合であるため、２段階のタイミングに分けてタイミングピン１１・１１によるノズルゲート２２・２２の開放を行うが、本発明が適用される射出成形はこれに限定されず、３つ以上のノズル２・２・２・・・から３段階以上のタイミングに分けて充填する場合にも適用できる。
【００４９】
溶融樹脂４の充填終了時は、開閉タイミング調整機構１の配設位置が本実施例のようにキャビティ３１である場合にはタイミングピン１１は成形品が少なくとも取り出されるまで元の位置のままとなるが、キャビティ３１内ではなく該キャビティ３１に連絡する樹脂流路等に配設されている場合には、充填終了と共にタイミングピン１１を進出動作させてもよい。また、この場合、ノズル２のゲートピン２３の遮断による射出終了よりも早いタイミングでタイミングピン１１を進出動作させることでノズルゲート２２を強制閉塞することもできる。
【００５０】
タイミングピン１１の進出動作及び退避動作によりノズルゲート２２の開放と閉塞を行うが、該タイミングピン１１は進出ストローク量が調整可能であることが好ましい。樹脂充填時に、任意のタイミングピン１１の進出ストローク量を調整して中途位置まで進出させることで任意のノズルゲート２２からの溶融樹脂４の射出流量を調整することが可能となる。図２（Ｃ）及び図３（Ｃ）は、タイミングピン１１の進出ストローク量をノズルゲート２２に当接した状態の３分の２程度の位置まで進出させた状態を示す。
【００５１】
複数のタイミングピン１１・１１・・・の進出動作及び退避動作の制御により各ノズルゲート２２・２２・・・の開閉タイミングを調整することに加えて、溶融樹脂４の充填時に任意のタイミングピン１１の突出ストローク量を調整することで、各ノズル２・２・・・からの溶融樹脂４の充填量を調整をより細かく制御することが可能となる。尚、この態様によれば、全てのノズルゲート２２・２２・・・の開放タイミングを一致させて同時に充填開始させるが、任意のタイミングピン１１の進出ストローク量のみを変えることで任意のノズル２からの溶融樹脂４の充填量を変えることも可能である。
【００５２】
以上、本発明に係る多点ゲート射出成形機におけるノズルゲート開閉タイミング調整機構の一実施例について説明したが、本発明は上記に限定されず、例えば、下記のような態様を採ることができる。
【００５３】
上記の図１〜図３に示す実施例では、前記ノズルゲート２２を開閉させる構造が、ノズル２内に配設されるゲートピン２３がノズルゲート２２より逃げ動作を行ってノズルゲート２２の開放を行う構成であるが、本発明はこれに限定されず、図４〜図６に示すように、ノズル２内に配設されるゲートピン２３を、溶融樹脂の充填の際に樹脂圧力が所定値を超えるときノズルゲート２２から突出する動作を行ってノズルゲート２２の開放を行い、溶融樹脂の充填が完了し樹脂圧力が所定値より低下するときノズルゲート２２に復帰する動作を行い、ノズルゲート２２の遮断を行う構成であってもよい。即ち、上記図１〜図３に示す実施例では、ゲートピン２３がノズルゲート２２より引っ込んで該ノズルゲート２２が開となる構成であるが、図４〜図６に示す実施例では、ゲートピン２３がノズルゲート２２より突出する（出っ張る）ことで該ノズルゲート２２が開放する構成となっている。
【００５４】
図４〜図６に示す実施例の開閉タイミング調整機構１は、各タイミングピン１１・１１が各ノズルゲート２２・２２に向かって進出動作して各ゲートピン２３・２３に当接することで該各ゲートピン２３・２３のノズルゲート２２・２２からの突出を規制することで該ノズルゲート２２・２２を閉塞し｛図５（Ａ）及び図６（Ａ）の状態｝、該各ノズルゲート２２・２２から退避動作して各ゲートピン２３・２３の突出規制を解除することで該各ノズルゲート２２・２２を開放する｛図５（Ｂ）及び図６（Ｂ）の状態｝。即ち、上記の図１〜図３に示す実施例ではタイミングピン１１の進退動作によりノズルゲート２２の開閉を直接行っていたのに対し、本実施例では、タイミングピン１１の進退動作でノズルゲート２２の開閉を直接行うのではなく、ノズルゲート２２の開閉を行うゲートピン２３の動作を規制・解除することでに間接的に行う構成となっている。
【００５５】
図４〜図６に示す実施例では、タイミングピン１１がゲートピン２３に当接して該ゲートピン２３の動作を規制する構成であるので、タイミングピン１１の先端形状は該タイミングピン１１が進出動作してノズルゲート２２に当接した際にゲートピン２３先端と点接触ではなく面接触する構成であることが好ましく、図４〜図６に示すようにゲートピン２３の先端形状が球面凸状である場合には、例えば、図７（Ｂ）に示すように該球面凸状に対応する球面凹部１１Ｂが形成されていることが好ましい。
【００５６】
図４において、ゲートピン２３によるノズルゲート２２の開閉構成以外の構成については前記図１と同じ符号を示すものは同様の構成を有する。
【００５７】
また、図５及び図６は、前記図２及び図３と同様に、ノズルゲート２２の開閉時｛（Ａ）は閉塞時、（Ｂ）は開放時、（Ｃ）半開時｝のタイミングピン１１の動作位置状態について説明する図であり、図５（Ａ）〜（Ｃ）及び図６（Ａ）〜（Ｃ）は各々同一構成を有するものであり、図５は溶融樹脂４の図示を省略した状態を示し、図６は溶融樹脂４を図示した状態を示している。
【００５８】
更に、図４〜図６に示すゲートピン２３がノズルゲート２２から突出する構成の実施例においても、ノズルゲートを大きくできない不都合のあるオープンゲート方式を除く方式、即ち、ゲートピン２３がノズルゲート２２を開閉させる構造のものであれば公知公用のノズルを挙げることができ、例えば、空気圧・油圧式又はスプリング方式等によってノズルゲート２２を開閉させる構造の公知公用のノズルであってもよい。
【図面の簡単な説明】
【００５９】
【図１】本発明に係る多点ゲート射出成形機におけるノズルゲート開閉タイミング調整機構の一実施例を示す概略断面図
【図２】図１に示すノズルゲートの開閉時｛（Ａ）は閉塞時、（Ｂ）は開放時、（Ｃ）半開時｝のタイミングピンの動作位置状態を示す概略説明図
【図３】図２に樹脂の状態を図示した概略説明図
【図４】本発明に係る多点ゲート射出成形機におけるノズルゲート開閉タイミング調整機構の他の実施例を示す概略断面図
【図５】図４に示すノズルゲートの開閉時｛（Ａ）は閉塞時、（Ｂ）は開放時、（Ｃ）半開時｝のタイミングピンの動作位置状態を示す概略説明図
【図６】図５に樹脂の状態を図示した概略説明図
【図７】本発明に好ましく用いられるタイミングピンの実施例を示す要部正面図
【符号の説明】
【００６０】
１  ノズルゲート開閉タイミング調整機構
１１  タイミングピン
１１Ａ  凹部
１１Ｂ  球面凹部
２  ノズル
２１  スプリング
２２  ノズルゲート
２３  ゲートピン
３  多点ゲート射出成形金型
３Ａ  可動側金型
３Ｂ  固定側金型
３１  キャビティ
３２  フランジ
３３  湯道
３４  マニホールド
３５  スプルーブッシュ
４  溶融樹脂
【図１】
2008279603.tif 000003
【図２】
2008279603.tif 000004
【図３】
2008279603.tif 000005
【図４】
2008279603.tif 000006
【図５】
2008279603.tif 000007
【図６】
2008279603.tif 000008
【図７】
2008279603.tif 000009